(57)【特許請求の範囲】
【請求項１】
外周面に髪の毛が巻き付けられるパーマロッドであって、
円柱状の芯部と、
前記芯部の外周面を覆う弾性体から形成された弾性部と、
前記弾性部の外周面を覆う防水性の表面部と、
前記弾性部の両端部にそれぞれ複数本取り付けられた輪ゴム掛け用のピン部と、を有することを特徴とするパーマロッド。
【請求項２】
前記弾性部は、半径方向及び円周方向に弾性変形自在であることを特徴とする請求項１に記載のパーマロッド。
【請求項３】
前記表面部は、前記弾性体の外周面から連続して前記芯部及び前記弾性部の端部を覆うよう形成されていることを特徴とする請求項１または請求項２に記載のパーマロッド。
【請求項４】
前記ピン部は、棒状体を曲折することによりＵ字状に形成されており、その両端部が前記弾性部に挿入されていることを特徴とする請求項１ないし請求項３の何れか１項に記載のパーマロッド。
【請求項５】
前記表面部は、ゴム材料から形成されていることを特徴とする請求項１ないし請求項４の何れか１項に記載のパーマロッド。
【請求項６】
前記弾性部には、パーマロッドの情報を出力する電子回路が埋め込まれていることを特徴とする請求項１ないし請求項５の何れか１項に記載のパーマロッド。
【発明の詳細な説明】
【技術分野】
【０００１】
本発明は、美容室等におけるパーマネントウェーブの施術に利用されるパーマロッドに関する。
【背景技術】
【０００２】
一般に、美容室等におけるパーマネントウェーブの施術において、髪の毛を巻き付けるためのパーマロッドが利用されている。従来のパーマロッドとして、例えば、特許文献１に開示されたパーマネント用毛巻ロッドが知られている。【０００３】
特許文献１に開示されたパーマネント用毛巻ロッドは、軸方向中央部の径が若干細い鼓形を成す合成樹脂製の円筒状に形成されている。パーマネント用毛巻ロッドの両端部には、周方向に所要間隔で、輪ゴム止め用の切欠部が並設されている。パーマネント用毛巻ロッドに巻き付けられた髪の毛は、切欠部に引っ掛けられる輪ゴムによって固定される。【０００４】
また、他の従来技術の例として、特許文献２には、表面にスキン層を有し低発泡された中空の合成ゴムや熱可塑性エラストマー、軟質合成樹脂からなる弾性中空体を有するロッド部を備えたパーマネント用ロッドが開示されている。同文献のロッド部は、弾性中空体の中空部に挿入固定された中空状または中実状の合成樹脂製または木製で形成された芯材を有する。【０００５】
同文献のパーマネント用ロッドは、ロッド部の芯材の端部に配設された結合部に固定されたキャップ部を備えている。そして、キャップ本体を形成する筒状体は、一端にロッド部の端部を外嵌する外嵌部を有し、筒状体の他端には、凹凸状に切り込まれたゴム止部が形成されている。
【先行技術文献】
【特許文献】
【０００６】
【特許文献１】特開平９−３７８３２号公報
【特許文献２】特開２００１−７８８２４号公報
【発明の概要】
【発明が解決しようとする課題】
【０００７】
しかしながら、従来技術のパーマロッドは、美容師による施術の効率を高めると共に、美しいパーマネントウェーブを掛けるために改善すべき点があった。【０００８】
具体的には、特許文献１に開示された従来技術のように両端部近傍の径が大きく中央近傍の径が小さい鼓形のパーマロッドでは、輪ゴムが掛けられても、中央付近では、パーマロッドの外周面と輪ゴムとの間に隙間ができてしまう。【０００９】
また、特許文献２に開示された従来技術のようにロッド部の両端に取り付けられたキャップ本体の筒状体に凹凸状のゴム止部が形成されてる構成においても、上記と同様に、取り付けられた輪ゴムとロッド部の外周面との間に隙間が生じてしまう。【００１０】
上記のようにパーマロッドの外周面と輪ゴムとの間に隙間が生ずる構成では、輪ゴムをきつく掛けないと毛束が緩み易いという問題点があった。毛束の緩みを防止するためには、輪ゴムを強く掛ける必要があり、輪ゴムの掛けが弱いと髪の毛がずれてしまう。【００１１】
毛束のずれを押さえるために輪ゴムを強く掛け過ぎると、髪の毛が強く引かれて、お客様は苦痛を感じる恐れがある。また、輪ゴムを強く掛けることは、美容師の作業も難しくなり、パーマネント施術の作業性も悪くなる。【００１２】
また、特許文献１に開示された従来技術のように、円筒状に形成された合成樹脂製のパーマロッドでは、外周面が硬く、髪の毛のホールド力も小さく、髪の毛が滑り易かった。また、中空状に形成されているため熱伝達が悪く、短時間で美しいウェーブカールを掛けることができないという問題点もあった。【００１３】
特許文献２に開示された弾性中空体を有する従来技術のパーマロッドは、外周面が半径方向へ僅かに弾性変形可能であった。しかしながら、その変形量は不十分であり、お客様が感じる傷みを少なくしつつ髪の毛のずれを抑えることが難しかった。また、パーマロッドが軟らかすぎると、髪の毛を好適な形状にするためのウェーブカールの形成が難しくなる。【００１４】
また、特許文献１及び特許文献２に開示された従来技術のように、両端部に輪ゴムを掛けるための切欠部（ゴム止部）が形成されているパーマロッドでは、切欠部に輪ゴムを掛ける作業が難しいという問題点があった。【００１５】
また、切欠部は、髪の毛が掛けられる外周面に対して位置が固定されており、パーマロッドの回転方向に移動することはできなかった。そのため、パーマロッドに掛けられた髪の毛は、切欠部に掛けられた輪ゴムによって円周方向に移動できないよう強く固定されることになる。これにより、髪の毛が頭部から強く引かれた状態のまま維持され、お客様に痛みを感じさせてしまうことがあった。【００１６】
本発明は、上記の事情に鑑みてなされたものであり、その目的とするところは、容易な施術で美しいパーマネントウェーブを掛けることができるパーマロッドを提供することにある。
【課題を解決するための手段】
【００１７】
本発明のパーマロッドは、外周面に髪の毛が巻き付けられるパーマロッドであって、円柱状の芯部と、芯部の外周面を覆う弾性体から形成された弾性部と、弾性部の外周面を覆う防水性の表面部と、弾性部の両端部にそれぞれ複数本取り付けられた輪ゴム掛け用のピン部と、を有することを特徴とする。
【発明の効果】
【００１８】
本発明のパーマロッドによれば、円柱状の芯部と、芯部の外周面を覆う弾性体から形成された弾性部と、弾性部の外周面を覆う防水性の表面部と、弾性部の両端部に取り付けられたピン部と、を有する。これにより、容易な施術で、お客様に不快な痛みを感じさせることなく、美しいパーマネントウェーブを掛けることができる。【００１９】
具体的には、パーマロッドの中心部に円柱状の芯部が設けられることにより、パーマロッド全体の強度を好適に確保することができる。芯部の外周には弾性部と表面部が設けられるので、パーマロッドの中心部近傍に中空部が形成されることなく、パーマロッド全体が略円柱状に形成される。これにより、美しいウェーブカールの施術に適した熱伝達性能が得られる。【００２０】
そして、芯部の外周に弾性体から形成された弾性部が設けられることにより、パーマロッドに巻き掛けられる髪の毛を弾性部の変形によって好適なテンションで支持することができる。【００２１】
また、弾性部の外周に防水性の表面部が形成されることにより、パーマロッド内へ薬液が流れ込むことを防止することができ、施術の効率を高めることができる。また、表面部が設けられることにより、巻き掛けられた毛束の滑りを抑えることができる。弾性部の優れた変形性と表面部の好適な摩擦性能によって、表面部の上に輪ゴムが緩く掛けられても毛束をしっかりと保持することができる。よって、ダメージの少ない美しいパーマネントウェーブを掛けることができる。【００２２】
また、輪ゴムを掛けるためのピン部は、弾性部の両端部に取り付けられている。これにより、ピン部及びそこに掛けられた輪ゴムは、弾性部の変形によって弾性部の端部と共に移動することができる。よって、パーマネントウェーブが掛かり易い好適な動きが可能なテンションで髪の毛を支えることができる。【００２３】
また、本発明のパーマロッドによれば、弾性部は、半径方向及び円周方向に弾性変形自在であっても良い。これにより、弾性部を半径方向へ縮めると共に円周方向へ僅かに回動させて髪の毛を巻き掛けることができる。パーマロッドに巻き掛けられた髪の毛は、弾性部の反発による好適なホールド力によって保持される。そのため、頭皮に痛みが生ずるほどの強い引っ張り力を与えることなく、髪の毛の緩みを防止することができ、美しいパーマネントウェーブを掛けることができる。【００２４】
また、本発明のパーマロッドによれば、表面部は、弾性体の外周面から連続して芯部及び弾性部の端部を覆うよう形成されていても良い。これにより、パーマロッドの内部に薬液等が流れ込むことを防止し、美しいパーマネントウェーブの施術を効率良く行うことができる。【００２５】
また、本発明のパーマロッドによれば、ピン部は、棒状体を曲折することによりＵ字状に形成されており、その両端部が弾性部に挿入されていても良い。これにより、輪ゴムを掛ける作業を容易に行うことができる。例えば、Ｕ字状の棒状体が弾性部に挿入されることによって形成されたピン部の孔部に輪ゴムを通して固定することも可能である。【００２６】
また、本発明のパーマロッドによれば、表面部は、ゴム材料から形成されていても良い。これにより、パーマロッド内に薬液等が流れ込むことを防止する優れた防水性能と、巻き掛けられた髪の毛の滑りを防止するための優れた摩擦性能が得られる。【００２７】
また、本発明のパーマロッドによれば、弾性部には、パーマロッドの情報を出力する電子回路が埋め込まれていても良い。電子回路から出力されたパーマロッドの情報を利用することにより、施術者は、それぞれのお客様に適した好適な施術を正確かつ高効率に行うことができる。
【図面の簡単な説明】
【００２８】
【図１】図１は、本発明の実施形態に係るパーマロッドの概略を示す斜視図である。
【図２】図２は、本発明の実施形態に係るパーマロッドの概略を示す横断面図である。
【図３】図３は、本発明の実施形態に係るパーマロッドの概略を示す縦断面図である。
【図４】図４は、本発明の実施形態に係るパーマロッドのピン部近傍を示すＡ−Ａ線断面図である。
【図５】図５は、本発明の実施形態に係るパーマロッドのピン部の配置を示す側面図である。
【図６】図６は、本発明の実施形態に係るパーマロッドのピン部の配置の他の例を示す側面図である。
【図７】図７は、本発明の実施形態に係るパーマロッドの弾性変形の例を示す斜視図である。
【発明を実施するための形態】
【００２９】
以下、本発明の実施形態に係るパーマロッドを図面に基づき詳細に説明する。
【００３０】
図１は、本発明の実施形態に係るパーマロッド１の概略を示す斜視図である。パーマロッド１は、美容室等におけるパーマネントウェーブの施術に利用されるものである。図１に示すように、パーマロッド１は、略円柱状の形態を成す。パーマネントウェーブの施術時には、パーマロッド１の外周面に髪の毛が巻き付けられる。
【００３１】
パーマロッド１の外面は、略全域が防水性の表面部１２に覆われている。即ち、パーマロッド１の外周部は、表面部１２の一部分である表面部１３によって覆われており、パーマロッド１の端部は、表面部１３に連続する表面部１４によって覆われている。
【００３２】
パーマロッド１の両端部には、複数本のピン部１５が設けられている。ピン部１５は、パーマネントウェーブの施術時に輪ゴムを掛ける部分である。詳しくは、パーマロッド１に髪の毛が巻き掛けられ、その髪の毛を外側から抑えるよう、パーマロッド１の一端側のピン部１５と他端側のピン部１５を繋ぐように輪ゴムが掛けられる。
【００３３】
図２は、パーマロッド１の概略を示す横断面図であり、図３は、パーマロッド１の概略を示す縦断面図である。図２及び図３に示すように、パーマロッド１は、円柱状の芯部１０と、芯部１０の外周面を覆う弾性部１１と、弾性部１１の外周面を覆う防水性の表面部１２と、を有する。
【００３４】
芯部１０は、木材、金属、樹脂等から形成された略円柱形状の棒材である。芯部１０は、パーマロッド１の中心部を構成し、パーマロッド１の一方の端部から他方の端部まで延在している。このように略円柱状の芯部１０が設けられることにより、パーマロッド１全体の強度を好適に確保することができる。
【００３５】
パーマロッド１の中心部に略円柱状の芯部１０が設けられるので、前述のとおり、パーマロッド１は、全体として略円柱状に形成され、中心部近傍に中空部が形成されることはない。これにより、コールドパーマによる美しいウェーブカールの施術に適した熱伝達性能が得られる。また、使用する薬液の薬剤濃度を低くすることや、薬液の使用量を減らすことも可能である。
【００３６】
芯部１０の外周には略円筒状の形態を成す弾性部１１が設けられている。弾性部１１は、例えば、略スポンジ状に形成された弾性変形可能な合成樹脂製の弾性体から形成されている。
【００３７】
弾性部１１を形成する弾性体は、予め円筒状に成形された合成樹脂部材等であっても良く、その中心孔部に芯部１０が挿入されても良い。また、弾性部１１を形成する弾性体は、略板状に形成された合成樹脂部材等であっても良く、弾性部１１は、その略板状の弾性体を芯部１０の外周面に巻き付けることによって形成されても良い。
【００３８】
芯部１０の外周に弾性体から形成された弾性部１１が設けられることにより、パーマロッド１に巻き掛けられる髪の毛を弾性部１１の変形によって好適なテンションで支持することができる。
【００３９】
なお、芯部１０と弾性部１１は、接着剤等によって完全に接着されている必要はなく、弾性部１１の弾性力を利用して、弾性部１１で芯部１０を軽く押圧するように固定されていても良い。
【００４０】
また、図示を省略するが、弾性部１１には、パーマロッド１の情報を出力する電子回路が埋め込まれていても良い。電子回路は、例えば、マイクロチップであり、どのような種類のパーマロッド１が、頭部のどの位置に、どのような向きで取り付けられ、どのような圧力、温度で、何時間使用されているか等の各種情報を、出力することができる。
【００４１】
電子回路から出力されたパーマロッド１の情報を受信して演算や記録等に利用することにより、施術者は、それぞれのお客様に適した好適な施術を正確かつ高効率に行うことができる。例えば、従来、施術者が手書きで記録していたパーマロッド１の使用記録等についても、電子回路からの出力を利用して自動で記録することができる。また、薬液による加工時間等も正確に把握することができるので、適切な施術時間で美しいパーマネントウェーブが得られる。
【００４２】
弾性部１１の外周には、防水性の表面部１２が形成されている。前述のとおり、表面部１２は、パーマロッド１の外周部を覆う表面部１３と、端部を覆う表面部１４が連続するよう形成されている。即ち、弾性部１１の外周面を覆う表面部１３から連続して、芯部１０及び弾性部１１の端部を覆うよう表面部１４が形成されている。
【００４３】
表面部１２によって芯部１０及び弾性部１１が覆われることにより、パーマロッド１の内部に薬液等が流れ込むことを防止し、美しいパーマネントウェーブの施術を効率良く行うことができる。
【００４４】
表面部１２は、ゴム材料から形成されている。これにより、パーマロッド１の内部に薬液等が流れ込むことを防止するための優れた防水性能が得られると共に、巻き掛けられた髪の毛の滑りを防止するための優れた摩擦性能が得られる。また、好適な種類のゴム材料を使用することにより、パーマロッド１の耐油性、耐溶剤性、耐薬品性を高めることができる。また、パーマロッド１の強度を高めることもできる。
【００４５】
弾性部１１の優れた変形性と表面部１２の好適な摩擦性能によって、表面部１２の上に輪ゴムが緩く掛けられても毛束をしっかりと保持することができる。よって、ダメージの少ない美しいウェーブカールを掛けることができる。
【００４６】
弾性部１１の両端部には、輪ゴムを掛けるためのピン部１５が取り付けられている。ピン部１５は、芯部１０及び外周面側の表面部１３に固定されるものではなく、弾性部１１に挿入されて弾性部１１のみに固定されている。なお、パーマロッド１の防水とピン部１５の抜け防止のために、ピン部１５の挿入部は、接着剤によって弾性部１１及び表面部１２に接着されても良い。
【００４７】
ピン部１５が弾性部１１に固定されることにより、ピン部１５及びそこに掛けられた輪ゴムは、弾性部１１の変形によって弾性部１１の端部と共に移動することができる。そのため、パーマロッド１は、パーマネントウェーブが掛かり易い好適な動きが可能なテンションで髪の毛を支えることができる。
【００４８】
図４は、図３に示すＡ−Ａ線の断面図であり、ピン部１５が挿入されている部分の近傍を示している。図４に示すように、ピン部１５は、金属製または合成樹脂製の棒状体を曲折することにより略Ｕ字状に形成されており、その両端部１６が弾性部１１に挿入されている。また、ピン部１５は、弾性部１１内に挿入される部分の長さが２ｃｍ程度であり、パーマロッド１の端部面より外側に出ている部分の長さが１ｃｍ程度である。
【００４９】
略Ｕ字形状のピン部１５がパーマロッド１の端部に取り付けられていることにより、輪ゴムを掛ける作業を容易に行うことができる。具体的には、略Ｕ字状の曲折部があるために、その外側に容易に輪ゴムを掛けることができる。また、例えば、略Ｕ字状の棒状体が弾性部１１に挿入されることによって形成されたピン部１５の孔部１７に輪ゴムを通して固定することも可能である。
【００５０】
図５は、パーマロッド１のピン部１５の配置を示す側面図である。図５に示すように、ピン部１５は、パーマロッド１の中心軸までの距離が両端部１６側で略等しく、パーマロッド１の端部方向から見て円周方向に延在している。
【００５１】
図６は、パーマロッド１のピン部１５の配置の他の例を示す側面図である。図６に示すように、ピン部１５は、パーマロッド１の端部方向から見て、端部面の半径方向に対して斜めに傾斜して延在するよう配置されても良い。即ち、ピン部１５は、一方の端部１６側がパーマロッド１の中心軸に近く、他方の端部１６側が外周面に近くなるよう取り付けられても良い。
【００５２】
図５または図６に記載されているような配置形態でピン部１５が設けられることにより、ピン部１５に輪ゴムを掛け易くすることができる。なお、ピン部１５の本数は、４本に限定されるものではなく、３本以下または５本以上であっても良く、パーマロッド１の大きさ等に応じて適切に選択できる。
【００５３】
図７は、パーマロッド１の弾性変形の例を示す斜視図である。弾性部１１は、半径方向ｒ及び円周方向θに弾性変形自在である。これにより、弾性部１１を半径方向ｒへ縮めると共に円周方向θへ僅かに回動させてパーマロッド１の外周面に髪の毛を巻き掛けることができ、巻き掛けられた髪の毛は、弾性部１１の反発による好適なホールド力によって保持される。そのため、頭皮に痛みが生ずるほどの強い引っ張り力を与えることなく、髪の毛の緩みを防止することができ、美しいパーマネントウェーブを掛けることができる。
【００５４】
また、弾性部１１は、軸方向の中央近傍が軟らかく、両端部近傍の方が中央近傍よりも硬く形成されている。そのため、パーマロッド１に髪の毛が巻き掛けられた際、弾性部１１の半径方向ｒへの変形量は、中央近傍において多く、両端部近傍において少ない。即ち、パーマロッド１は、両端部近傍よりも中央近傍の方が小径になる。これにより、パーマロッド１の端部近傍に巻き掛けられた毛束は、パーマロッド１の中央方向へ流れ易くなる。そして、巻き掛けられた髪の毛は、パーマロッド１の両端部から外側に逃げ難くなる。
【００５５】
なお、上述した弾性部１１の両端部近傍が中央近傍よりも硬い構成は、ピン部１５を形成する棒状体が弾性体１１の両端部に差し込まれることによって形成される。また、パーマロッド１の両端部近傍において、弾性部１１を覆う表面部１２で弾性体１１を半径方向ｒに強く押しつけるように固定することによっても、弾性体１１の両端部近傍を硬くすることが可能である。
【００５６】
以上説明したように、本発明のパーマロッド１によれば、毛束を巻き付けるワインディングを容易に行うことができ、お客様に不快な痛みを感じさせることなく、美しいパーマネントウェーブを掛けることができる。
【００５７】
また、パーマロッド１の本数を従来の２分の１から３分の１程度に減らすことができ、施術の時間を短縮することもできる。また、パーマ薬液として、髪へのダメージが少ない化成品ヘアカールローションを使用しても、施術者が意図した大きさや形状のウェーブカールをしっかりと美しく掛けることができる。
なお、本発明は、上記実施形態に限定されるものではなく、その他、本発明の要旨を逸脱しない範囲で、種々の変更実施が可能である。
【符号の説明】
【００５８】
１      パーマロッド
１０    芯部
１１    弾性部
１２    表面部
１３    表面部
１４    表面部
１５    ピン部
１６    端部
１７    孔部
ｒ      半径方向
θ      円周方向
【図１】
0006940205.tif 000002
【図２】
0006940205.tif 000003
【図３】
0006940205.tif 000004
【図４】
0006940205.tif 000005
【図５】
0006940205.tif 000006
【図６】
0006940205.tif 000007
【図７】
0006940205.tif 000008